(57)【要約】【課題】複数のレーンのうち映像信号の一部または全部が送信されるレーンの伝送状態が悪化しても、受信側において表示される映像の視認性を向上させることが可能な技術が提供されることが望まれる。【解決手段】映像信号に含まれる複数のピクセルデータに基づいて伝送フレームを生成する伝送フレーム生成部と、所定の変更タイミングの後において前記複数のピクセルデータそれぞれが送信されるレーンを変更するレーン変更部と、を備える、送信制御装置が提供される。【選択図】図１
2018131232.tif 000002
【特許請求の範囲】
【請求項１】
映像信号に含まれる複数のピクセルデータに基づいて伝送フレームを生成する伝送フレーム生成部と、
所定の変更タイミングの後において前記複数のピクセルデータそれぞれが送信されるレーンを変更するレーン変更部と、
を備える、送信制御装置。
【請求項２】
前記レーン変更部は、前記所定の変更タイミングの前において前記映像信号における各座標に対するレーンの割り当てに基づいて前記複数のピクセルデータそれぞれが送信されるレーンを特定する、
請求項１に記載の送信制御装置。
【請求項３】
前記レーン変更部は、前記所定の変更タイミングの後において前記映像信号における各座標に対するレーンの割り当てを変更する、
請求項１に記載の送信制御装置。
【請求項４】
前記所定の変更タイミングは、前記伝送フレームの送信中における１回または複数回、複数の前記伝送フレームそれぞれの送信が終わる度、または、前記複数の伝送フレームの送信が終わる度である、
請求項１に記載の送信制御装置。
【請求項５】
前記送信制御装置は、
前記映像信号における座標と前記座標に割り当てられるレーンとを含む制御情報を指定する送信制御部を備える、
請求項１に記載の送信制御装置。
【請求項６】
前記送信制御装置は、
前記映像信号における座標と前記座標に割り当てられるレーンとの変更パターンまたは前記変更パターンの識別情報を含む制御情報を指定する送信制御部を備える、
請求項１に記載の送信制御装置。
【請求項７】
前記伝送フレーム生成部は、前記制御情報を前記伝送フレームに挿入する、
請求項５に記載の送信制御装置。
【請求項８】
前記伝送フレーム生成部は、前記伝送フレームの開始位置または前記伝送フレームの内部に前記制御情報を挿入する、
請求項７に記載の送信制御装置。
【請求項９】
前記伝送フレーム生成部は、前回および今回指定された前記制御情報が同一である場合、前記制御情報の挿入を省略する、
請求項７に記載の送信制御装置。
【請求項１０】
映像信号に含まれる複数のピクセルデータに基づいて生成された伝送フレームが受信された場合、前記伝送フレームから前記複数のピクセルデータを取得する信号取得部を備え、
前記信号取得部は、所定の変更タイミングの検出後において送信されるレーンが変更された前記複数のピクセルデータを取得する、
受信制御装置。
【請求項１１】
前記受信制御装置は、
前記複数のピクセルデータを合成する画像合成部を備え、
前記画像合成部は、前記所定の変更タイミングの前において前記映像信号における各座標に対するレーンの割り当てに基づいて前記複数のピクセルデータそれぞれが送信されるレーンを特定する、
請求項１０に記載の受信制御装置。
【請求項１２】
前記画像合成部は、前記所定の変更タイミングの後において前記映像信号における各座標に対するレーンの割り当てを変更する、
請求項１１に記載の受信制御装置。
【請求項１３】
前記所定の変更タイミングは、前記伝送フレームの送信中における１回または複数回、複数の前記伝送フレームそれぞれの送信が終わる度、または、前記複数の伝送フレームの送信が終わる度である、
請求項１０に記載の受信制御装置。
【請求項１４】
前記受信制御装置は、
前記映像信号における座標と前記座標に割り当てられるレーンとを含む制御情報に基づいて、前記画像合成部による前記レーンの割り当て変更を制御する受信制御部を備える、
請求項１１に記載の受信制御装置。
【請求項１５】
前記受信制御装置は、
前記映像信号における座標と前記座標に割り当てられるレーンとの変更パターンまたは前記変更パターンの識別情報を含む制御情報に基づいて、前記画像合成部による前記レーンの割り当て変更を制御する受信制御部を備える、
請求項１１に記載の受信制御装置。
【請求項１６】
前記信号取得部は、前記伝送フレームから前記制御情報を抽出する、
請求項１４に記載の受信制御装置。
【請求項１７】
前記信号取得部は、前記伝送フレームの開始位置または前記伝送フレームの内部から前記制御情報を抽出する、
請求項１６に記載の受信制御装置。
【請求項１８】
前回および今回指定された前記制御情報が同一である場合、前記制御情報の挿入が省略される、
請求項１４に記載の受信制御装置。
【請求項１９】
映像信号に含まれる複数のピクセルデータに基づいて伝送フレームを生成する伝送フレーム生成部と、
所定の変更タイミングの後において前記複数のピクセルデータそれぞれが送信されるレーンを変更するレーン変更部と、
を備える、送信制御装置と、
前記伝送フレームが受信された場合、前記伝送フレームから前記複数のピクセルデータを取得する信号取得部を備え、
前記信号取得部は、送信される前記レーンが変更された前記複数のピクセルデータを取得する、
受信制御装置と、
を有する、送受信制御システム。
【請求項２０】
前記レーン変更部は、前記所定の変更タイミングの後において前記映像信号における各座標に対するレーンの割り当てを変更する、
請求項１９に記載の送受信制御システム。
【発明の詳細な説明】
【技術分野】
【０００１】
本開示は、送信制御装置、受信制御装置および送受信制御システムに関する。
【背景技術】
【０００２】
近年、複数のレーンを用いて映像信号（Ｖｉｄｅｏ信号）を送信する技術として、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）、Ｄｉｓｐｌａｙ  Ｐｏｒｔ（以下、単に「ＤＰ」とも言う。）などが知られている。ＨＤＭＩにおいては、ピクセル（Ｐｉｘｅｌ）データを色情報ごとに複数のレーンのいずれかに割り当て、色情報に対するレーンの割り当てに基づいてピクセルデータが送信される。一方、ＤＰにおいては、ピクセルデータを複数のレーンのいずれかに割り当て、ピクセルデータに対するレーンの割り当てに基づいてピクセルデータが送信される。【０００３】
これに対し、１つのレーンに対して割り当てられる画面上の範囲を広くすることによって、特定のレーンが故障した場合に画面上の一部だけに画質の劣化が集中してしまうことを防止する技術が開示されている（例えば、特許文献１参照）。
【先行技術文献】
【特許文献】
【０００４】
【特許文献１】特開平２−２８８６９８号公報
【発明の概要】
【発明が解決しようとする課題】
【０００５】
しかし、複数のレーンのうち映像信号の一部または全部が送信されるレーンの伝送状態が悪化しても、受信側において表示される映像の視認性を向上させることが可能な技術が提供されることが望まれる。
【課題を解決するための手段】
【０００６】
本開示によれば、映像信号に含まれる複数のピクセルデータに基づいて伝送フレームを生成する伝送フレーム生成部と、所定の変更タイミングの後において前記複数のピクセルデータそれぞれが送信されるレーンを変更するレーン変更部と、を備える、送信制御装置が提供される。【０００７】
本開示によれば、映像信号に含まれる複数のピクセルデータに基づいて生成された伝送フレームが受信された場合、前記伝送フレームから前記複数のピクセルデータを取得する信号取得部を備え、前記信号取得部は、所定の変更タイミングの検出後において送信されるレーンが変更された前記複数のピクセルデータを取得する、受信制御装置が提供される。【０００８】
本開示によれば、映像信号に含まれる複数のピクセルデータに基づいて伝送フレームを生成する伝送フレーム生成部と、所定の変更タイミングの後において前記複数のピクセルデータそれぞれが送信されるレーンを変更するレーン変更部と、を備える、送信制御装置と、前記伝送フレームが受信された場合、前記伝送フレームから前記複数のピクセルデータを取得する信号取得部を備え、前記信号取得部は、送信される前記レーンが変更された前記複数のピクセルデータを取得する、受信制御装置と、を有する、送受信制御システムが提供される。
【発明の効果】
【０００９】
以上説明したように本開示によれば、複数のレーンのうち映像信号の一部または全部が送信されるレーンの伝送状態が悪化しても、受信側において表示される映像の視認性を向上させることが可能な技術が提供される。なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１０】
【図１】第１の実施形態に係る信号伝送システムの構成の一例を示す図である。
【図２】第１の実施形態に係る伝送フレーム送信部の詳細構成の一例を示す図である。
【図３】第１の実施形態に係る伝送フレーム受信部の詳細構成の一例を示す図である。
【図４】映像信号に含まれる映像フレームの構成例を示す図である。
【図５】各レーンを送信されるピクセルデータ群（分割信号）の例を時系列に沿って示す図である。
【図６】第２の実施形態に係る信号伝送システムの構成の一例を示す図である。
【図７】第２の実施形態に係る伝送フレーム送信部の構成例を示す図である。
【図８】第２の実施形態に係る伝送フレーム受信部の構成例を示す図である。
【図９】各レーンを送信されるピクセルデータ群（分割信号）および伝送情報の例を時系列に沿って示す図である。
【図１０】第１の映像フレーム開始位置において送信される伝送情報（制御情報）の例を示す図である。
【図１１】第２の映像フレーム開始位置において送信される伝送情報（制御情報）の例を示す図である。
【図１２】各レーンを送信されるピクセルデータ群（分割信号）および伝送情報の変形例を時系列に沿って示す図である。
【図１３】第１の映像フレーム開始位置において送信される伝送情報（制御情報）の例を示す図である。
【図１４】映像フレーム開始位置において送信される伝送情報（制御情報）の例を示す図である。
【発明を実施するための形態】
【００１１】
以下に添付図面を参照しながら、本開示の好適な実施の形態について詳細に説明する。なお、本明細書および図面において、実質的に同一の機能構成を有する構成要素については、同一の符号を付することにより重複説明を省略する。
【００１２】
また、本明細書および図面において、実質的に同一の機能構成を有する複数の構成要素を、同一の符号の後に異なる数字を付して区別する。ただし、実質的に同一の機能構成を有する複数の構成要素等の各々を特に区別する必要がない場合、同一符号のみを付する。また、異なる実施形態の類似する構成要素については、同一の符号の後に異なるアルファベットを付して区別する。
【００１３】
なお、説明は以下の順序で行うものとする。
０．概要
１．第１の実施形態
１．１．信号伝送システムの構成
１．２．送信装置の構成
１．３．受信装置の構成
１．４．動作の説明
１．５．効果の説明
１．６．各種の変形例
２．第２の実施形態
２．１．信号伝送システムの構成
２．２．送信装置の構成
２．３．受信装置の構成
２．４．動作の説明
２．５．効果の説明
２．６．各種の変形例
３．むすび
【００１４】
（０．概要）
まず、本実施形態の概要について説明する。近年、複数のレーンを用いて映像信号（Ｖｉｄｅｏ信号）を送信する技術として、ＨＤＭＩ、ＤＰなどが知られている。ＨＤＭＩにおいては、ピクセル（Ｐｉｘｅｌ）データを色情報ごとに複数のレーンのいずれかに割り当て、色情報に対するレーンの割り当てに基づいてピクセルデータが送信される。一方、ＤＰにおいては、座標を複数のレーンのいずれかに割り当て、座標に対するレーンの割り当てに基づいてピクセルデータが送信される。
【００１５】
ＨＤＭＩのように、色情報に対してレーンが割り当てられる場合、あるレーンが故障すると、故障したレーンが割り当てられている色情報が画面全体として正常に送信されなくなるため、画面全体の色情報が異常に見える。一方、ＤＰのように、座標に対してレーンが割り当てられる場合、あるレーンが故障すると、故障したレーンが割り当てられている座標のピクセルデータが正常に送信されないため、画面全体としての異常はＨＤＭＩと比較して小さく見える。しかし、座標に対するレーンの割り当てが固定であるため、故障したレーンに対応する座標のピクセルデータが正常に表示されない状態が継続してしまう。
【００１６】
これに対し、１つのレーンに対して割り当てられる画面上の範囲を広くすることによって、特定のレーンが故障した場合に画面上の一部だけに画質の劣化が集中してしまうことを防止する技術が開示されている（例えば、特開平２−２８８６９８号公報参照）。しかし、かかる技術においても、レーンの故障が複数の映像フレームに渡って発生した場合は、故障したレーンに対応するピクセルデータが正常に表示されない状態が継続してしまう。
【００１７】
そこで、本明細書においては、複数のレーンのうち映像信号の一部または全部が送信されるレーンの伝送状態が悪化しても、受信側において表示される映像の視認性を向上させることが可能な技術について主に説明する。
【００１８】
以上、本実施形態の概要について説明した。
【００１９】
（１．第１の実施形態）
続いて、第１の実施形態について説明する。
【００２０】
（１−１．信号伝送システムの構成）
まず、第１の実施形態に係る第１の実施形態に係る信号伝送システム１Ａの構成例について説明する。図１は、第１の実施形態に係る信号伝送システム１Ａの構成の一例を示す図である。図１に示すように、信号伝送システム１Ａは、送信装置１０Ａと受信装置２０Ａとを有する。また、送信装置１０Ａと受信装置２０Ａとは、伝送路３０を介して接続されている。
【００２１】
なお、本明細書においては、送信装置１０Ａから受信装置２０Ａへの送信信号として映像信号が扱われる例について主に説明する。また、本明細書においては、送信信号が光信号によって送信される例について主に説明する。しかし、送信信号は、光信号ではなく、電気信号といった他の信号によって送受信されてもよい。送信装置１０Ａは、「送信制御装置」として機能し得る。また、受信装置２０Ａは、「受信制御装置」として機能し得る。信号伝送システム１Ａは、「送受信制御システム」として機能し得る。
【００２２】
（１−２．送信装置の構成）
続いて、第１の実施形態に係る送信装置１０Ａの構成について説明する。送信装置１０Ａは、映像信号（Ｖｉｄｅｏ信号）を複数の信号（以下、「分割信号」とも言う）に分割し、複数の分割信号それぞれに対するレーンの割り当てに基づいて、複数の分割信号を送信する。なお、後にも説明するように、映像信号は、送信装置１０Ａによって複数の分割信号に分割されずに１本のレーンによって送信されてもよい。映像信号１０１は、送信装置１０Ａに入力される。映像信号１０１は、時系列に沿った複数枚の映像フレーム（画像）によって構成される。
【００２３】
図１に示すように、送信装置１０Ａは、画像分割部（レーン変更部）１０２および伝送フレーム送信部１０３−１〜１０３−Ｍを備える。画像分割部１０２は、映像信号を分割して複数の分割信号を得る。分割数の最大は、レーン３０３の本数であるＭ（Ｍは２以上の整数）であってよい。すなわち、Ｍ本のレーン３０３は、全部が映像信号の送信に利用されてもよいし、一部のみが映像信号の送信に利用されてもよい（空きレーンが存在してもよい）。本実施形態においては、映像信号の分割数が「４」である場合について主に説明するが、映像信号の分割数は限定されない。また、本実施形態においては、映像信号を座標単位で分割する場合について主に説明するが、分割の単位は座標単位に限定されず、複数の座標によって構成されるブロック単位であってもよい。
【００２４】
より具体的には、画像分割部１０２は、所定の変更タイミングの前において映像信号に含まれる複数のピクセルデータそれぞれが送信されるレーンを特定する。本実施形態においては、複数の伝送フレームそれぞれの送信が終わる度に変更タイミングが到来する場合を主に説明する。しかし、後に説明するように、所定の変更タイミングは限定されない。例えば、画像分割部１０２は、変更タイミングの前において映像信号の各座標に対するレーンの割り当てに基づいて複数のピクセルデータそれぞれが送信されるレーンを特定する。
【００２５】
映像信号に含まれる複数のピクセルデータそれぞれは、伝送フレーム送信部１０３−１〜１０３−Ｍのうち、画像分割部１０２によって特定されたレーンに繋がる伝送フレーム送信部１０３−１〜１０３−４に出力される。また、画像分割部１０２は、所定の変更タイミングの後において映像信号における各座標に対するレーンの割り当てを変更する。各座標に対するレーンの割り当てが変更された場合、伝送フレーム送信部１０３−１〜１０３−４それぞれにおいて、変更後の割り当てに従って、伝送フレーム生成部１０３２によって伝送フレームが生成され、送信部１０３５によって伝送フレームが送信される。
【００２６】
伝送フレーム送信部１０３−１は、画像分割部１０２から入力されたピクセルデータ群（分割信号）に基づいて伝送フレームを生成する。そして、伝送フレーム送信部１０３−１は、生成した伝送フレームを、自身に繋がるレーン３０３−１に送信する。伝送フレーム送信部１０３−２〜１０３−４それぞれも、伝送フレーム送信部１０３−１と同様に、画像分割部１０２から入力されたピクセルデータ群（分割信号）に基づいて伝送フレームを生成し、生成した伝送フレームを、自身に繋がるレーン３０３−２〜３０３−４に送信する。
【００２７】
図２は、第１の実施形態に係る伝送フレーム送信部１０３の詳細構成の一例を示す図である。図２に示すように、入力ポート１０３１は、ピクセルデータ群（分割信号）が入力されるポートである。伝送フレーム送信部１０３は、伝送フレーム生成部１０３２、符号化部１０３３、Ｐ／Ｓ（パラレルシリアル変換部）１０３４および送信部１０３５を備える。以下では、これらの機能ブロックそれぞれの機能について説明する。
【００２８】
伝送フレーム生成部１０３２は、入力ポート１０３１からピクセルデータ群（分割信号）が入力されると、ピクセルデータ群（分割信号）をフレーム化することにより伝送フレームを生成する。フレーム化はどのようになされてもよい。例えば、伝送フレーム生成部１０３２は、伝送フレームの先頭を示すフレーム開始識別子をピクセルデータ群（分割信号）に付することによってフレーム化を行ってもよい。
【００２９】
フレーム開始識別子には、少なくとも映像信号には存在しない所定のコード（以下、「特殊データ」とも言う。）のいずれか一つが割り当てられている。例えば、特殊データは、レーン３０３を送受信されるデータの符号化に依存する。例えば、レーン３０３を送受信されるデータの符号化にＡＮＳＩ  ８ｂ／１０ｂ変換が用いられる場合、特殊データには、Ｋコードが割り当てられてよい。例えば、フレーム開始識別子には、Ｋ２８．５と呼ばれているＫコード（０ｘＢＣ）がＮバイト連続したデータが割り当てられてよい。
【００３０】
符号化部１０３３は、ピクセルデータ群（分割信号）に対して符号化を行う。具体的には、符号化部１０３３は、ピクセルデータ群（分割信号）に対して８ｂ／１０ｂ符号化を行う。このとき、符号化部１０３３は、ピクセルデータ群（分割信号）のうち、フレーム開始識別子を対応する特殊データに置換し、フレーム開始識別子以外のデータを１０ビット単位のデータに置換してもよい。
【００３１】
Ｐ／Ｓ１０３４は、符号化されたピクセルデータ群（分割信号）を高速伝送に適した形式にすべくパラレルデータからシリアルデータに変換する。
【００３２】
送信部１０３５は、伝送フレームを送信する。伝送フレームは、出力端子１０３６から出力される。例えば、送信部１０３５は、ＬＤＤ（レーザダイオードドライバ）およびＬＤ（レーザダイオード）を有する。ＬＤＤはＬＤを駆動し、ＬＤはＬＤＤから入力された伝送フレームを出力端子１０３６から出力する。なお、本実施形態においては、レーン３０３が光ファイバによって構成され、ＬＤが伝送フレームを光信号に変換してから受信装置２０Ａに送信する場合を想定する。しかし、伝送フレームの信号種類は限定されない。例えば、送信装置１０Ａは電気信号により伝送フレームを受信装置２０Ａに送信してもよい。
【００３３】
図１に戻って説明を続ける。伝送路３０にはレーン３０３−１〜３０３−Ｍ（Ｍは２以上の整数）が含まれている。ここでは、レーン３０３の本数がＭ本として示されているが、レーン３０３の本数は複数であれば特に限定されない。
【００３４】
（１−３．受信装置の構成）
続いて、第１の実施形態に係る受信装置２０Ａの構成について説明する。受信装置２０Ａは、レーン３０３−１〜３０３−Ｍから複数の分割信号を受信し、受信した複数の分割信号に基づいて映像信号を生成する。図１に示すように、受信装置２０Ａは、伝送フレーム受信部２０３−１〜２０３−Ｍおよび画像合成部２０２を備える。伝送フレーム受信部２０３−１〜２０３−Ｍそれぞれは、対応するレーン３０３−１〜３０３−Ｍに繋がっている。上記したように、本実施形態においては、映像信号の分割数が「４」である場合について主に説明する。
【００３５】
したがって、伝送フレーム受信部２０３−１は、伝送フレームをレーン３０３−１から受信し、受信した伝送フレームからピクセルデータ群（分割信号）を取得する。同様に、伝送フレーム受信部２０３−２〜２０３−４も、伝送フレームをレーン３０３−２〜３０３−４から受信し、伝送フレームからピクセルデータ群（分割信号）を取得する。
【００３６】
図３は、第１の実施形態に係る伝送フレーム受信部２０３の詳細構成の一例を示す図である。入力ポート２０３６は、伝送フレームが入力されるポートである。入力ポート２０３６から入力された伝送フレームは、伝送フレーム受信部２０３に入力される。伝送フレーム受信部２０３は、受信部２０３５、Ｓ／Ｐ（シリアルパラレル変換部）２０３４、復号部２０３３および信号取得部２０３２を備える。ここでは、これらの機能ブロックそれぞれの機能について説明する。
【００３７】
受信部２０３５は、送信装置１０Ａから送信された伝送フレームがレーン３０３を介して入力ポート２０３６から入力されると、かかる伝送フレームを受信する。受信部２０３５は、ＰＤ（フォトディテクタ）および増幅器を含む。
【００３８】
ＰＤは、送信装置１０Ａから光信号によって送信された伝送フレームを受光して電気信号に変換する。なお、本実施形態においては、レーン３０３が光ファイバによって構成され、ＰＤが伝送フレームを受光して電気信号に変換する場合を想定するが、上記したように、送信装置１０Ａから受信装置２０Ａに送信される信号の種類は限定されない。例えば、受信装置２０Ａは電気信号により伝送フレームを送信装置１０Ａから受信してもよい。
【００３９】
増幅器は、ＰＤから出力された電気信号としての伝送フレームを増幅し、増幅した伝送フレームをＳ／Ｐ２０３４に出力する。例えば、増幅器は、電流信号に対してインピーダンス変換を行うことによって電圧信号を得た後、電圧信号に対して振幅増幅を行ってよい。Ｓ／Ｐ２０３４は、伝送フレームの形式をシリアルデータからパラレルデータに変換する。
【００４０】
復号部２０３３は、パラレルデータに変換された伝送フレームを復号する。具体的には、復号部２０３３は、伝送フレームに対して８ｂ／１０ｂ復号を行ってもよい。例えば、復号部２０３３は、この伝送フレームのうち、フレーム開始識別子に対応する１０ビットの特殊データを、フレーム開始識別子に置換してもよい。一方、復号部２０３３は、伝送フレームのうち、残りのデータも８ビットデータに置換してもよい。
【００４１】
信号取得部２０３２は、入力される伝送フレームがフレーム化されているため、このフレーム化を解除することによってピクセルデータ群（分割信号）を得る。より詳細には、信号取得部２０３２は、特殊コードから置換されたフレーム開始識別子の位置を伝送フレームの先頭の位置として検出する。信号取得部２０３２は、フレーム開始識別子の位置に基づいてピクセルデータ群（分割信号）を得る。信号取得部２０３２によって得られたピクセルデータ群（分割信号）は、出力ポート２０３１から出力される。
【００４２】
図１に戻って説明を続ける。画像合成部２０２は、伝送フレーム受信部２０３−１〜２０３−４それぞれから出力されるピクセルデータ群（分割信号）を合成することによって、映像信号を生成する。すなわち、画像合成部２０２は、送信装置１０Ａにおける画像分割部１０２に対応している。
【００４３】
より具体的には、画像合成部２０２は、所定の変更タイミングの前において映像信号における各座標に対するレーンの割り当てに基づいて複数のピクセルデータそれぞれが取得されるレーンを特定する。ここで、映像信号における各座標に対するレーンの割り当ては、画像合成部２０２と送信装置１０Ａにおける画像分割部１０２との間で同一にされている。画像合成部２０２は、特定したレーンに従って複数のピクセルデータを合成することによって、映像信号を生成する。画像合成部２０２によって生成された映像信号２０１は、所定の出力先に出力される。
【００４４】
また、画像合成部２０２は、変更タイミングの後において映像信号における各座標に対するレーンの割り当てを変更する。変更後のレーンの割り当ては、画像合成部２０２と送信装置１０Ａにおける画像分割部１０２との間で同一にされている。したがって、画像分割部１０２による割り当て変更と画像合成部２０２による割り当て変更とは、対応するようになされる。
【００４５】
各座標に対するレーンの割り当てが変更された場合、伝送フレーム受信部２０３−１〜２０３−４それぞれにおいて、変更後の割り当てに従って、受信部２０３５によって伝送フレームが受信され、信号取得部２０３２によって伝送フレームからピクセルデータ群（分割信号）が取得される。そして、画像合成部２０２は、変更後の割り当てに従って、複数の分割信号それぞれが送信されるレーンを特定し、特定したレーンに従って、複数の分割信号を合成することによって、映像信号を生成する。
【００４６】
（１−４．動作の説明）
続いて、図１〜図５を参照しながら、本開示の第１の実施形態に係る信号伝送システム１Ａの動作の例について説明する。具体的には、送信装置１０Ａから受信装置２０Ａに送信される映像信号に含まれる複数のピクセルデータそれぞれに対するレーンの割り当ての変更動作の例について説明する。まず、映像信号に含まれる映像フレームの構成例について説明する。
【００４７】
図４は、映像信号に含まれる映像フレームの構成例を示す図である。図４に示すように、映像フレームは、水平方向にＸ個のピクセルデータ、垂直方向にＹ個のピクセルデータが配置された矩形形状を構成する。したがって、映像フレームの各座標に対応してピクセルデータが存在する。例えば、Ｐ（４，５）は、Ｘ座標が「４」、Ｙ座標が「５」のピクセルデータを示す。例えば、ピクセルデータは、ＲＧＢなどといった色情報によって構成される。
【００４８】
図５は、レーン♯１〜♯４それぞれを送信されるピクセルデータ群（分割信号）の例を時系列に沿って示す図である。図５に示すように、１枚目の映像フレームの送信が開始される（第１の映像フレーム開始位置３０３１）。ここでは、Ｐ（１，１）にレーン＃１が割り当てられ、Ｐ（２，１）にレーン＃２が割り当てられ、Ｐ（３，１）にレーン＃３が割り当てられ、Ｐ（４，１）にレーン＃４が割り当てられている。画像分割部１０２は、かかる割り当てに従って複数のピクセルデータそれぞれが送信されるレーンを特定する。そして、複数のピクセルデータそれぞれは、画像分割部１０２によって特定されたレーンに繋がるレーンに送信される。
【００４９】
続いて、Ｐ（５，１）にレーン＃１が割り当てられ、Ｐ（６，１）にレーン♯２が割り当てられ、Ｐ（７，１）にレーン＃３が割り当てられ、Ｐ（８，１）にレーン＃４が割り当てられている。画像分割部１０２は、かかる割り当てに従って複数のピクセルデータそれぞれが送信されるレーンを特定する。そして、複数のピクセルデータそれぞれは、画像分割部１０２によって特定されたレーンに繋がるレーンに送信される。
【００５０】
このように、１枚目の映像フレームの先頭ラインが水平方向に順に送信される。１枚目の映像フレームの先頭ラインの送信が終了すると（先頭ライン終了位置３０３２）、Ｈブランク区間が送信され、Ｈブランク区間の送信が終了すると（Ｈブランク区間終了位置３０３３）、１枚目の映像フレームの２番目のラインの送信が開始される。ここでは、Ｐ（１，２）にレーン＃１が割り当てられ、Ｐ（２，２）にレーン＃２が割り当てられ、Ｐ（３，２）にレーン＃３が割り当てられ、Ｐ（４，２）にレーン＃４が割り当てられている。画像分割部１０２は、かかる割り当てに従って複数のピクセルデータそれぞれが送信されるレーンを特定する。そして、複数のピクセルデータそれぞれは、画像分割部１０２によって特定されたレーンに繋がるレーンに送信される。
【００５１】
このように、１枚目の映像フレームの２番目のラインが水平方向に順に送信される。１枚目の映像フレームの２番目のラインの送信が終了し、同様にして１枚目の映像フレームの最終ラインが終了すると（最終ライン終了位置３０３４）、Ｖブランク区間が送信され、Ｖブランク区間の送信が終了すると、２枚目の映像フレームの送信が開始される（第２の映像フレーム開始位置３０３５）。このとき、画像分割部１０２は、映像信号における各座標に対するレーンの割り当てを変更する。
【００５２】
図５に示したように、Ｐ（４，１）にレーン＃１が割り当てられ、Ｐ（１，１）にレーン＃２が割り当てられ、Ｐ（２，１）にレーン＃３が割り当てられ、Ｐ（３，１）にレーン＃４が割り当てられる。このように、Ｐ（１，１）に対する割り当てがレーン＃１からレーン＃２に変更され、Ｐ（２，１）に対する割り当てがレーン＃２からレーン＃３に変更され、Ｐ（３，１）に対する割り当てがレーン＃３からレーン＃４に変更され、Ｐ（４，１）に対する割り当てがレーン＃４からレーン＃１変更される。
【００５３】
図５には示されていないが、３枚目の映像フレームにおいては、Ｐ（１，１）に対する割り当てがレーン＃２からレーン＃３に変更され、Ｐ（２，１）に対する割り当てがレーン＃３からレーン＃４に変更され、Ｐ（３，１）に対する割り当てがレーン＃４からレーン＃１に変更され、Ｐ（４，１）に対する割り当てがレーン＃１からレーン＃２に変更される。このように、画像分割部１０２は、一例として映像フレームが送信される度に映像信号における各座標に対するレーンの割り当てを変更する。
【００５４】
（１−５．効果の説明）
以上に説明したように、本開示の第１の実施形態によれば、画像分割部１０２は、所定の変更タイミングの後において映像信号における各座標に対するレーンの割り当てを変更する。これによって、レーンの伝送状態の悪化が複数の映像フレームに渡って発生した場合であっても、伝送状態が悪化したレーンに対応する座標が変化するため、正常に表示されないピクセルデータの座標が変化する。したがって、本開示の第１の実施形態によれば、複数のレーンのうち映像信号が送信されるレーンの伝送状態が悪化しても、受信側において表示される映像の視認性を向上させることが可能となる。
【００５５】
（１−６．各種の変形例）
上記においては、映像信号における各座標に対するレーンの割り当ての変更タイミングが、複数の伝送フレームそれぞれの送信が終わる度に到来する場合を主に説明した。しかし、変更タイミングは、これに限定されない。例えば、変更タイミングは、伝送フレームの送信中における１回または複数回であってもよいし、複数の伝送フレームの送信が終わる度であってもよい。
【００５６】
また、上記においては、映像信号を複数の分割信号に分割する例を主に説明した。しかし、映像信号は、複数の分割信号に分割されずに１本のレーンによって送信されてもよい。かかる場合、画像分割部１０２は、変更タイミングの前において、映像信号全体に対するレーンの割り当てに基づいて映像信号全体が送信されるレーンを特定する。そして、画像分割部１０２は、変更タイミング後において映像信号全体が送信されるレーンを変更する。
【００５７】
（２．第２の実施形態）
続いて、第２の実施形態について説明する。
【００５８】
（２−１．信号伝送システムの構成）
第２の実施形態に係る信号伝送システム１Ｂの構成例について説明する。第２の実施形態は、第１の実施形態と異なり、映像信号における座標と座標に割り当てられるレーンとを含む制御情報が、映像情報とともに送信される。図６は、第２の実施形態に係る信号伝送システム１Ｂの構成の一例を示す図である。図６に示すように、信号伝送システム１Ｂは、送信装置１０Ｂと受信装置２０Ｂとを有する。
【００５９】
第２の実施形態に係る送信装置１０Ｂは、送信制御部１０７および伝送情報生成部１０８を有する点が第１の実施形態に係る送信装置１０Ａと主に異なっている。一方、第２の実施形態に係る受信装置２０Ｂは、受信制御部２０７および伝送情報検出部２０８を有する点が第１の実施形態に係る受信装置２０Ａと主に異なっている。第２の実施形態においては、第１の実施形態と異なる構成を主に説明する。
【００６０】
（２−２．送信装置の構成）
続いて、第２の実施形態に係る送信装置１０Ｂの構成について説明する。送信装置１０Ｂにおいて、送信制御部１０７は、入力されたフレーム同期信号に基づいて、画像分割部１０２および伝送情報生成部１０８を制御する。より具体的には、送信制御部１０７は、入力されたフレーム同期信号に基づいて、映像信号における座標と座標に割り当てられるレーンとを含む制御情報を指定し、画像分割部１０２に制御情報を出力する。また、送信制御部１０７は、制御情報を伝送情報生成部１０８に出力する。
【００６１】
伝送情報生成部１０８は、制御情報に応じた伝送情報を生成し、伝送フレーム送信部１０３−１〜１０３−４それぞれに伝送情報を出力する。伝送情報は、制御情報が伝送フレームに合わせた形式に変換された情報である。しかし、かかる形式は限定されず、伝送情報と制御情報とは同じであってもよい。画像分割部１０２は、送信制御部１０７から入力される制御情報に従って座標に対するレーンの割り当てを変更する。
【００６２】
また、伝送フレーム送信部１０３−１〜１０３−４それぞれにおいて、伝送フレーム生成部１０３２は、送信制御部１０７から入力される伝送情報を伝送フレームに挿入する。本実施形態においては、伝送フレーム生成部１０３２が、伝送フレームの開始位置に伝送情報を挿入する例を主に説明するが、後にも説明するように、伝送情報の挿入位置は限定されない。
【００６３】
図７は、第２の実施形態に係る伝送フレーム送信部１０３の構成例を示す図である。図７に示すように、第２の実施形態に係る伝送フレーム送信部１０３においては、伝送フレーム生成部１０３２に対して、入力ポート１０３７から伝送情報が入力される。伝送フレーム生成部１０３２は、伝送フレームの開始位置に伝送情報を挿入する。伝送情報が挿入された伝送フレームは、受信装置２０Ｂに送信される（図６）。
【００６４】
（２−３．受信装置の構成）
続いて、第２の実施形態に係る受信装置２０Ｂの構成について説明する。図８は、第２の実施形態に係る伝送フレーム受信部２０３の構成例を示す図である。図８に示すように、第２の実施形態に係る伝送フレーム受信部２０３−１〜２０３−４それぞれにおいては、信号取得部２０３２によって、伝送フレームから伝送情報が抽出される。信号取得部２０３２によって抽出された伝送情報は、出力ポート２０３７から伝送情報検出部２０８に出力される。
【００６５】
図６に戻って説明を続ける。伝送情報検出部２０８は、伝送フレーム受信部２０３−１〜２０３−４それぞれにおける信号取得部２０３２から出力された伝送情報を検出する。伝送情報検出部２０８は、伝送情報から制御情報を抽出する。そして、伝送情報検出部２０８は、受信制御部２０７に制御情報を出力する。受信制御部２０７は、伝送情報検出部２０８から入力された制御情報に基づいて、画像合成部２０２による座標に対するレーンの割り当て変更を制御する。画像合成部２０２は、受信制御部２０７による制御に従って、座標に対するレーンの割り当てを変更する。
【００６６】
各座標に対するレーンの割り当てが変更された場合、伝送フレーム受信部２０３−１〜２０３−４それぞれにおいては、変更後の割り当てに従って、受信部２０３５によって伝送フレームが受信され、信号取得部２０３２によって伝送フレームからピクセルデータ群（分割信号）が取得される。そして、画像合成部２０２は、変更後の割り当てに従って、複数の分割信号それぞれが送信されるレーンを特定し、特定したレーンに従って、複数の分割信号を合成することによって、映像信号を生成する。
【００６７】
（２−４．動作の説明）
続いて、図６〜図１１を参照しながら、本開示の第２の実施形態に係る信号伝送システム１Ｂの動作の例について説明する。具体的には、送信装置１０Ｂから受信装置２０Ｂに送信される映像信号に含まれる複数のピクセルデータそれぞれに対するレーンの割り当ての変更動作の例について説明する。
【００６８】
図９は、レーン♯１〜♯４それぞれを送信されるピクセルデータ群（分割信号）および伝送情報の例を時系列に沿って示す図である。一例として、図９に示すように、伝送フレーム生成部１０３２は、第１の映像フレーム開始位置３０３１およびＶブランク区間終了位置（第２の映像フレーム開始位置）３０３５に伝送情報を挿入する。このとき、ピクセルデータの送信は、伝送情報の送信が終了したピクセルデータ開始位置３０３６およびピクセルデータ開始位置３０３７から開始される。
【００６９】
図１０は、第１の映像フレーム開始位置３０３１において送信される伝送情報（制御情報）の例を示す図である。図１０に示した制御情報は、第１の映像フレームにおける座標と座標に対して割り当てられるレーンとが対応付けられてなる。図１１は、第２の映像フレーム開始位置３０３５において送信される伝送情報（制御情報）の例を示す図である。図１１に示した制御情報は、第１の映像フレームにおける座標と座標に対して割り当てられるレーンとが対応付けられてなる。
【００７０】
（２−５．効果の説明）
以上に説明したように、本開示の第２の実施形態によれば、映像信号とともに、映像信号における座標に対するレーンの割り当てを示す伝送情報（制御情報）が送信装置１０Ｂから受信装置２０Ｂに送信される。したがって、本開示の第２の実施形態によれば、送信装置１０Ｂは、座標に対するレーンの割り当てを変更するタイミングを制御することが可能になる。受信装置２０Ｂにおいては、伝送フレームの受信が失敗しても、受信が成功した伝送フレームからレーン割り当てを適切に行うことが可能となる。
【００７１】
（２−６．各種の変形例）
上記においては、伝送フレーム生成部１０３２が、複数の伝送フレームそれぞれに伝送情報（制御情報）を挿入する例を主に説明した。しかし、伝送フレーム生成部１０３２は、座標に対するレーンの割り当てを変更するタイミングにのみ伝送フレームに伝送情報（制御情報）を挿入してもよい。また、上記においては、伝送フレーム生成部１０３２が、伝送フレームの開始位置に伝送情報（制御情報）を挿入する例を主に説明した。しかし、伝送フレーム生成部１０３２は、伝送フレームの内部に伝送情報（制御情報）を挿入してもよい。
【００７２】
また、上記においては、送信制御部１０７が、前回指定した制御情報と異なる制御情報を今回指定する例を主に説明した。しかし、送信制御部１０７は、前回指定した制御情報と同一の制御情報を今回も指定してよい。このとき、伝送フレーム生成部は、前回および今回指定された制御情報が同一である場合、伝送フレームに対する制御情報の挿入を省略してもよい。
【００７３】
また、上記においては、画像分割部１０２が、伝送情報（制御情報）が入力されると即座に映像信号における座標に対するレーンの割り当てを変更する例を主に説明した。しかし、画像分割部１０２は、伝送情報（制御情報）が入力されてから、暫くした後に（例えば、所定の数の伝送フレームが送信された後に）座標に対するレーンの割り当てを変更してもよい。同様に、画像合成部２０２は、伝送情報（制御情報）が入力されてから、暫くした後に（例えば、所定の数の伝送フレームが受信された後に）座標に対するレーンの割り当てを変更してもよい。
【００７４】
また、上記においては、送信装置１０Ｂから受信装置２０Ｂに対して、映像信号における座標と座標に割り当てられるレーンとを含む制御情報が、映像情報とともに送信される例を主に説明した。しかし、送信装置１０Ｂから受信装置２０Ｂに対して、映像信号における座標と座標に割り当てられるレーンとの変更パターン（または、変更パターンの識別情報）を含む制御情報が、映像情報とともに送信されてもよい。
【００７５】
図１２は、レーン♯１〜♯４それぞれを送信されるピクセルデータ群（分割信号）および伝送情報の変形例を時系列に沿って示す図である。一例として、図１２に示すように、伝送フレーム生成部１０３２は、第１の映像フレーム開始位置３０３１に伝送情報を挿入し、伝送フレームが数フレーム分送信された後に、変更パターンを変化させるタイミングにおけるＶブランク区間終了位置（映像フレーム開始位置）３０３８に伝送情報を挿入する。このとき、ピクセルデータの送信は、伝送情報の送信が終了したピクセルデータ開始位置３０３６およびピクセルデータ開始位置３０３７から開始される。
【００７６】
図１３は、第１の映像フレーム開始位置３０３１において送信される伝送情報（制御情報）の例を示す図である。図１３に示した制御情報は、変化前の変更パターンを含んでいる。一方、図１４は、映像フレーム開始位置３０３８において送信される伝送情報（制御情報）の例を示す図である。図１４に示した制御情報は、変化後の変更パターンを含んでいる。
【００７７】
図１３および図１４に示すように、変更パターンは、フレーム４Ｎ（Ｎは０以上の整数）＋１からフレーム４Ｎ＋４までのそれぞれに対応する座標とレーンとの組み合わせによって表現されている。最初の伝送フレームには「フレーム４Ｎ＋１」の座標とレーンとが使用され、２番目の伝送フレームには「フレーム４Ｎ＋２」の座標とレーンとが使用され、３番目の伝送フレームには「フレーム４Ｎ＋３」の座標とレーンとが使用され、４番目の伝送フレームには「フレーム４Ｎ＋４」の座標とレーンとが使用され、５番目の伝送フレームには再び「フレーム４Ｎ＋１」における座標とレーンとが使用され、以降では同様な使用が繰り返される。
【００７８】
かかる例によれば、座標に対するレーン割り当ての変更パターンが送信されれば、変更パターンに従って割り当てが変更され得る。そのため、座標に対するレーン変更のたびに伝送情報が送信される例と比較して、送信装置１０Ｂから受信装置２０Ｂに送信される伝送情報のデータ量を低減することが可能となる（伝送情報の挿入頻度を低減することが可能となる）。そのため、座標に対するレーン変更のパターンが送信される場合には、映像情報をより多く伝送することが可能となる。
【００７９】
なお、座標に対するレーン割り当ての変更パターンが送信されれば、伝送情報の挿入頻度を低減することが可能となるが、受信装置２０Ｂにおいては、送信装置１０Ｂから伝送情報を受信するまでは、伝送情報に基づいて座標に対するレーンの割り当てを行うことができずに、映像信号の出力を開始できなくなってしまう。かかる状況を防止するため、伝送情報の挿入頻度は、映像信号の出力開始までの時間が考慮された上で決められるのがよい。
【００８０】
図１３および図１４に示すように、制御情報には、変更パターン自体が含まれてもよいし、送信装置１０Ｂと受信装置２０Ｂとの間で変更パターンの識別情報と変更パターンとの対応関係が共有されれば、制御情報には、変更パターン自体の代わりに変更パターンの識別情報が含まれてもよい。かかる例によれば、座標に対するレーン変更のパターンが送信される場合と比較して、送信装置１０Ｂから受信装置２０Ｂに送信されるデータ量をさらに低減することが可能となる。
【００８１】
（３．むすび）
以上説明したように、本開示の実施形態によれば、映像信号に含まれる複数のピクセルデータに基づいて伝送フレームを生成する伝送フレーム生成部１０３２と、所定の変更タイミングの後において複数のピクセルデータそれぞれが送信されるレーンを変更する画像分割部（レーン変更部）１０２と、を備える、送信装置１０Ａが提供される。
【００８２】
かかる構成によれば、複数のレーンのうち映像信号の一部または全部が送信されるレーンの伝送状態が悪化しても、受信側において表示される映像の視認性を向上させることが可能となる。
【００８３】
以上、添付図面を参照しながら本開示の好適な実施形態について詳細に説明したが、本開示の技術的範囲はかかる例に限定されない。本開示の技術分野における通常の知識を有する者であれば、請求の範囲に記載された技術的思想の範疇内において、各種の変更例または修正例に想到し得ることは明らかであり、これらについても、当然に本開示の技術的範囲に属するものと了解される。
【００８４】
例えば、送信装置１０が備える各機能ブロックは、別個のＩＣ（Ｉｎｔｅｇｒａｔｅｄ  Ｃｉｒｃｕｉｔ）に実装されてもよいし、いずれかの組み合わせが同一のＩＣに実装されてもよい。また、例えば、受信装置２０が備える各機能ブロックは、別個のＩＣに実装されてもよいし、いずれかの組み合わせが同一のＩＣに実装されてもよい。
【００８５】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏し得る。
【００８６】
なお、以下のような構成も本開示の技術的範囲に属する。
（１）
映像信号に含まれる複数のピクセルデータに基づいて伝送フレームを生成する伝送フレーム生成部と、
所定の変更タイミングの後において前記複数のピクセルデータそれぞれが送信されるレーンを変更するレーン変更部と、
を備える、送信制御装置。
（２）
前記レーン変更部は、前記所定の変更タイミングの前において前記映像信号における各座標に対するレーンの割り当てに基づいて前記複数のピクセルデータそれぞれが送信されるレーンを特定する、
前記（１）に記載の送信制御装置。
（３）
前記レーン変更部は、前記所定の変更タイミングの後において前記映像信号における各座標に対するレーンの割り当てを変更する、
前記（１）または（２）に記載の送信制御装置。
（４）
前記所定の変更タイミングは、前記伝送フレームの送信中における１回または複数回、複数の前記伝送フレームそれぞれの送信が終わる度、または、前記複数の伝送フレームの送信が終わる度である、
前記（１）〜（３）のいずれか一項に記載の送信制御装置。
（５）
前記送信制御装置は、
前記映像信号における座標と前記座標に割り当てられるレーンとを含む制御情報を指定する送信制御部を備える、
前記（１）〜（４）のいずれか一項に記載の送信制御装置。
（６）
前記送信制御装置は、
前記映像信号における座標と前記座標に割り当てられるレーンとの変更パターンまたは前記変更パターンの識別情報を含む制御情報を指定する送信制御部を備える、
前記（１）〜（４）のいずれか一項に記載の送信制御装置。
（７）
前記伝送フレーム生成部は、前記制御情報を前記伝送フレームに挿入する、
前記（５）または（６）に記載の送信制御装置。
（８）
前記伝送フレーム生成部は、前記伝送フレームの開始位置または前記伝送フレームの内部に前記制御情報を挿入する、
前記（７）に記載の送信制御装置。
（９）
前記伝送フレーム生成部は、前回および今回指定された前記制御情報が同一である場合、前記制御情報の挿入を省略する、
前記（７）または（８）に記載の送信制御装置。
（１０）
映像信号に含まれる複数のピクセルデータに基づいて生成された伝送フレームが受信された場合、前記伝送フレームから前記複数のピクセルデータを取得する信号取得部を備え、
前記信号取得部は、所定の変更タイミングの検出後において送信されるレーンが変更された前記複数のピクセルデータを取得する、
受信制御装置。
（１１）
前記受信制御装置は、
前記複数のピクセルデータを合成する画像合成部を備え、
前記画像合成部は、前記所定の変更タイミングの前において前記映像信号における各座標に対するレーンの割り当てに基づいて前記複数のピクセルデータそれぞれが送信されるレーンを特定する、
前記（１０）に記載の受信制御装置。
（１２）
前記画像合成部は、前記所定の変更タイミングの後において前記映像信号における各座標に対するレーンの割り当てを変更する、
前記（１１）に記載の受信制御装置。
（１３）
前記所定の変更タイミングは、前記伝送フレームの送信中における１回または複数回、複数の前記伝送フレームそれぞれの送信が終わる度、または、前記複数の伝送フレームの送信が終わる度である、
前記（１０）〜（１２）のいずれか一項に記載の受信制御装置。
（１４）
前記受信制御装置は、
前記映像信号における座標と前記座標に割り当てられるレーンとを含む制御情報に基づいて、前記画像合成部による前記レーンの割り当て変更を制御する受信制御部を備える、
前記（１１）または（１２）に記載の受信制御装置。
（１５）
前記受信制御装置は、
前記映像信号における座標と前記座標に割り当てられるレーンとの変更パターンまたは前記変更パターンの識別情報を含む制御情報に基づいて、前記画像合成部による前記レーンの割り当て変更を制御する受信制御部を備える、
前記（１１）または（１２）に記載の受信制御装置。
（１６）
前記信号取得部は、前記伝送フレームから前記制御情報を抽出する、
前記（１４）または（１５）に記載の受信制御装置。
（１７）
前記信号取得部は、前記伝送フレームの開始位置または前記伝送フレームの内部から前記制御情報を抽出する、
前記（１６）に記載の受信制御装置。
（１８）
前回および今回指定された前記制御情報が同一である場合、前記制御情報の挿入が省略される、
前記（１４）〜（１７）のいずれか一項に記載の受信制御装置。
（１９）
映像信号に含まれる複数のピクセルデータに基づいて伝送フレームを生成する伝送フレーム生成部と、
所定の変更タイミングの後において前記複数のピクセルデータそれぞれが送信されるレーンを変更するレーン変更部と、
を備える、送信制御装置と、
前記伝送フレームが受信された場合、前記伝送フレームから前記複数のピクセルデータを取得する信号取得部を備え、
前記信号取得部は、送信される前記レーンが変更された前記複数のピクセルデータを取得する、
受信制御装置と、
を有する、送受信制御システム。
（２０）
前記レーン変更部は、前記所定の変更タイミングの後において前記映像信号における各座標に対するレーンの割り当てを変更する、
前記（１９）に記載の送受信制御システム。
【符号の説明】
【００８７】
１（１Ａ、１Ｂ）  信号伝送システム
１０（１０Ａ、１０Ｂ）  送信装置
２０（２０Ａ、２０Ｂ）  受信装置
１０２  画像分割部
１０３  伝送フレーム送信部
１０３１  入力ポート
１０３２  伝送フレーム生成部
１０３３  符号化部
１０３５  送信部
１０３６  出力端子
１０７  送信制御部
１０８  伝送情報生成部
２０２  画像合成部
２０３  伝送フレーム受信部
２０３１  出力ポート
２０３２  信号取得部
２０３３  復号部
２０３５  受信部
２０３６  入力ポート
２０７  受信制御部
２０８  伝送情報検出部
３０    伝送路
３０３  レーン
【図１】
2018131232.tif 000003
【図２】
2018131232.tif 000004
【図３】
2018131232.tif 000005
【図４】
2018131232.tif 000006
【図５】
2018131232.tif 000007
【図６】
2018131232.tif 000008
【図７】
2018131232.tif 000009
【図８】
2018131232.tif 000010
【図９】
2018131232.tif 000011
【図１０】
2018131232.tif 000012
【図１１】
2018131232.tif 000013
【図１２】
2018131232.tif 000014
【図１３】
2018131232.tif 000015
【図１４】
2018131232.tif 000016
【国際調査報告】
2018131232.tif 000017
2018131232.tif 000018